(57)【特許請求の範囲】
【請求項１】
固体高分子電解質膜を燃料極と酸素含有ガス流路を有する酸素極とで挟んで構成されるセルと、前記セルから流出した冷却水を循環させて前記セルに供給する冷却水循環路を有する固体高分子形燃料電池の運転方法であって、
前記固体高分子形燃料電池の発電性能が低下したとき、あるいは発電性能が低下する可能性が高いときに、発電運転を停止する運転停止工程と、
前記運転停止工程の後に、前記冷却水循環路から前記セルに冷却水を供給して、前記酸素含有ガス流路に前記冷却水が充満した状態である水没状態とする水没工程と、
前記水没工程の後に、前記酸素含有ガス流路における前記冷却水の流動を停止させる静置工程と、
前記静置工程の後に、前記酸素含有ガス流路から前記冷却水を排出する排出工程と、
前記排出工程の後に発電運転を開始する運転開始工程とを有する固体高分子形燃料電池の運転方法。
【請求項２】
前記排出工程は、前記酸素含有ガス流路から排出された前記冷却水を前記冷却水循環路の外に排出する請求項１に記載の固体高分子形燃料電池の運転方法。
【請求項３】
前記運転停止工程の後であって前記水没工程の前に前記冷却水循環路を前記酸素含有ガス流路に接続する接続工程を有し、前記水没工程において前記冷却水循環路から前記酸素含有ガス流路に前記冷却水が供給される請求項１または２に記載の固体高分子形燃料電池の運転方法。
【請求項４】
前記水没工程において前記冷却水循環路から前記酸素含有ガス流路に前記冷却水が供給される際、前記固体高分子形燃料電池を発電運転する際の前記酸素含有ガス流路における酸素含有ガスの流れる方向とは逆の方向に前記冷却水が流れる請求項３に記載の固体高分子形燃料電池の運転方法。
【請求項５】
前記固体高分子形燃料電池は、前記冷却水循環路から冷却水が供給されて前記セルを冷却する冷却部を有しており、
前記水没工程において前記冷却水循環路から前記冷却部に前記冷却水を供給することにより、前記酸素含有ガス流路に前記冷却水が充満した水没状態とする請求項１または２に記載の固体高分子形燃料電池の運転方法。 
【発明の詳細な説明】
【技術分野】
【０００１】
本発明は、固体高分子電解質膜を燃料極と酸素含有ガス流路を有する酸素極とで挟んで構成されるセルと、前記セルから流出した冷却水を循環させて前記セルに供給する冷却水循環路を有する固体高分子形燃料電池の運転方法に関する。
【背景技術】
【０００２】
固体高分子形燃料電池は、固体高分子電解質膜を燃料極及び酸素極で挟んで構成されるセルを複数積層して備えて構成される。固体高分子形燃料電池を発電運転させるとき、燃料極には燃料ガス（水素）を供給し、酸素極には酸素含有ガスを供給する。酸素極には酸素含有ガスが流通する酸素含有ガス流路が設けられる。固体高分子電解質膜は、燃料極で発生した水素イオンを酸素極まで移動させる役割を担っている。
【先行技術文献】
【特許文献】
【０００３】
【特許文献１】特開２００８−２１８０５０号公報
【発明の概要】
【発明が解決しようとする課題】
【０００４】
酸素含有ガスとしては、通常、外部の空気が用いられるが、空気中には硫黄酸化物、硫化水素、窒素酸化物などの汚染物質や粉塵が含まれている。これら汚染物質等が空気極を汚染することを抑制するため、従来は外部の空気の取り入れ口からセルまでの経路にフィルタが設けられていた。しかしながらフィルタを用いると圧損が生じ、セルに空気を送り込むためのブロア等の消費電力が増加するので、燃料電池のエネルギー効率が低下してしまう。また、フィルタは定期的に交換が必要となるため、フィルタ部品代による燃料電池の価格上昇に加えて、ランニングコストまでも増加してしまう。
【０００５】
フィルタを用いない方法として、特許文献１の燃料電池システムでは、燃料電池が低負荷状態の時に、触媒層中の水量を増加させる制御が行われる。触媒層中の水量の増加は、発電中の燃料電池内における反応生成水の凝縮量、蒸発量を制御することで行われる。これにより、触媒層中の不純物を除去し発電性能を回復できるとされている。また、低負荷時には酸化剤極電位が高いため、触媒に吸着した被毒種の脱離も進行し、被毒の解除効果も発現するとされている。
【０００６】
しかし特許文献１の方法では、燃料電池システムの運転中に水量増加の制御が行われるので、燃料電池システムの安定した運転を実現するために複雑な制御を行う必要があり、また、汚染物質等が十分に除去できない虞がある。
【０００７】
本発明は上述の課題に鑑みてなされたものであり、その目的は、確実に汚染物質等を除去できる固体高分子形燃料電池の運転方法を低コストで簡易に実現することにある。
【課題を解決するための手段】
【０００８】
上記目的を達成するための本発明に係る固体高分子形燃料電池の運転方法の特徴構成は、  固体高分子電解質膜を燃料極と酸素含有ガス流路を有する酸素極とで挟んで構成されるセルと、前記セルから流出した冷却水を循環させて前記セルに供給する冷却水循環路を有する固体高分子形燃料電池の運転方法であって、
前記固体高分子形燃料電池の発電性能が低下したとき、あるいは発電性能が低下する可能性が高いときに、発電運転を停止する運転停止工程と、
前記運転停止工程の後に、前記冷却水循環路から前記セルに冷却水を供給して、前記酸素含有ガス流路に前記冷却水が充満した状態である水没状態とする水没工程と、
前記水没工程の後に、前記酸素含有ガス流路における前記冷却水の流動を停止させる静置工程と、
前記静置工程の後に、前記酸素含有ガス流路から前記冷却水を排出する排出工程と、
前記排出工程の後に発電運転を開始する運転開始工程とを有する点にある。
【０００９】
上記の特徴構成によれば、水没工程にて冷却水循環路からセルに冷却水を供給して、酸素含有ガス流路に冷却水が充満した状態である水没状態とし、その後に酸素含有ガス流路における冷却水の流動を停止させる静置工程を行うので、空気極に付着した汚染物質等を充満した冷却水へと確実に溶出・分散させることができ、続く排出工程にて汚染物質等を含む冷却水をセルから排出することができる。したがって、固体高分子形燃料電池のセルから汚染物質等を確実に除去することができる。
【００１０】
また、水没工程の前に運転停止工程を行い、排出工程の後に運転開始工程を行うので、燃料電池が運転を停止した状態で上述の水没工程を行うこととなり、燃料電池の出力を維持するための特別な制御を行うことなく汚染物質等の除去を行うことができる。さらに、上記の特徴構成によれば、セルに汚染物質等が流入・付着することを抑制するフィルタを簡易化あるいは省略できるので、燃料電池の価格上昇およびランニングコストを低減することができる。
【００１１】
本発明に係る固体高分子形燃料電池の運転方法の別の特徴構成は、前記排出工程は、前記酸素含有ガス流路から排出された前記冷却水を前記冷却水循環路の外に排出する点にある。
【００１２】
上記の特徴構成によれば、排出工程において酸素含有ガス流路から排出された冷却水を冷却水循環路の外に排出するので、汚染物質等を含む冷却水が燃料電池の運転に用いられず、汚染物質等によるセルの汚染を抑制することができる。したがって燃料電池の発電性能が向上するとともに、汚染物質等の除去動作の頻度を低くすることができ、燃料電池の発電効率を高めることができる。
【００１３】
本発明に係る固体高分子形燃料電池の運転方法の別の特徴構成は、前記運転停止工程の後であって前記水没工程の前に前記冷却水循環路を前記酸素含有ガス流路に接続する接続工程を有し、前記水没工程において前記冷却水循環路から前記酸素含有ガス流路に前記冷却水が供給される点にある。
【００１４】
上記の特徴構成によれば、冷却水循環路を酸素含有ガス流路に接続する接続工程を行い、水没工程において冷却水循環路から酸素含有ガス流路に冷却水が供給されるので、迅速に水没状態を実現することができる。また、冷却水循環路からの冷却水の水流によって、酸素含有ガス流路に付着した汚染物質等を押し流すことができ、より確実に汚染物質等を除去することができる。
【００１５】
本発明に係る固体高分子形燃料電池の運転方法の別の特徴構成は、前記水没工程において前記冷却水循環路から前記酸素含有ガス流路に前記冷却水が供給される際、前記固体高分子形燃料電池を発電運転する際の前記酸素含有ガス流路における酸素含有ガスの流れる方向とは逆の方向に前記冷却水が流れる点にある。
【００１６】
酸素含有ガス流路において、発電運転時の酸素含有ガス（空気）の流れの上流側に、汚染物質等がより多く付着していると考えられる。上記の特徴構成によれば、水没工程において発電運転する際の酸素含有ガス流路における酸素含有ガスの流れる方向とは逆の方向に冷却水が流れるので、冷却水は汚染物質等の付着が相対的に少ない領域から多い領域へと流れることとなる。したがって、汚染物質等が多い領域を流れることで汚れた冷却水が、汚染物質等が少ない領域に流れ込んで汚染を拡大してしまう事態を避けることができ、より確実にセルから汚染物質等を除去することができる。
【００１７】
本発明に係る固体高分子形燃料電池の運転方法の別の特徴構成は、前記固体高分子形燃料電池は、前記冷却水循環路から冷却水が供給されて前記セルを冷却する冷却部を有しており、前記水没工程において前記冷却水循環路から前記冷却部に前記冷却水を供給することにより、前記酸素含有ガス流路に前記冷却水が充満した水没状態とする点にある。
【００１８】
固体高分子形燃料電池で用いられる固体高分子電解質膜は、適度に湿潤した状態で良好な水素イオン伝導性を発揮する。そこで冷却水循環路からの冷却水が固体高分子電解質膜を湿らせるように、冷却水がセルの内部に浸透するように構成される場合がある。上記の特徴構成によれば、固体高分子形燃料電池は冷却水循環路から冷却水が供給されてセルを冷却する冷却部を有しており、水没工程において冷却水循環路から冷却部に冷却水を供給することにより、酸素含有ガス流路に冷却水が充満した水没状態とするので、簡便な構成・制御により汚染物質等の除去を実現することができる。
【図面の簡単な説明】
【００１９】
【図１】第１実施形態に係る固体高分子形燃料電池の構成を示す概略図
【図２】固体高分子形燃料電池の運転方法を示すフローチャート
【図３】第２実施形態に係る固体高分子形燃料電池の構成を示す概略図
【発明を実施するための形態】
【００２０】
＜第１実施形態＞
以下に図面を参照して第１実施形態に係る燃料電池システムの構成および動作について説明する。
図１は、燃料電池システムの構成を説明する図である。燃料電池システムは、固体高分子形燃料電池ＦＣ（以下、単に「燃料電池ＦＣ」と記載する）を備える。燃料電池ＦＣは固体高分子電解質膜４を燃料極３及び酸素極５で挟んで構成されるセルＣを複数積層して備える。尚、図１中では簡略化のため単一のセルＣのみを記載している。燃料極３には燃料ガス（水素）が供給され、酸素極５には酸素含有ガス（空気）が供給され、もって発電が行われる。酸素極５には、酸素含有ガスが通流する酸素含有ガス流路が設けられる。
【００２１】
また燃料電池ＦＣは、発電時に発生する熱を回収することで燃料電池ＦＣを冷却する冷却部６を備える。本実施形態では水冷式の冷却部６を設けている。具体的には、この冷却部６には後述する冷却水循環路１９を循環する水（以下、「冷却水」と記載する）が供給されて、燃料電池ＦＣの冷却が行われる。冷却部６を通過することで温度が上昇した冷却水は、冷却水循環路１９の途中に設けられた熱交換器８に流入する。詳細は後述するが、この熱交換器８において、冷却水は、排熱回収路２５を流れる湯水と熱交換して燃料電池ＦＣから回収した排熱をその湯水に渡す。湯水は、貯湯タンク７に貯えられ、そこで蓄熱が行われる。
【００２２】
改質器１には、炭化水素を含む原燃料（例えば、メタンを含む都市ガスなど）が供給され、及び、冷却水循環路１９から分岐した改質用水供給路２０を介して水が供給される。改質器１は、併設される燃焼器２から与えられる燃焼熱を利用して、原燃料の水蒸気改質を行う。改質器１での水蒸気改質により得られた水素を主成分とする燃料ガスは、燃料ガス供給路１４を介して燃料極３に供給される。
【００２３】
燃料極３では、供給された全ての燃料ガスが発電反応で消費される訳ではない。そのため、燃料極３から排出される燃料極排ガスの中には水素等の燃料ガスの成分が残存している。そこで、燃焼器２での燃焼用ガスとして、燃料極排ガスを利用している。具体的には、燃料極３から燃焼器２へ、燃料極排ガス路１５を介して燃料極排ガスを供給する。燃焼器２で燃焼された後の燃焼排ガスは、燃焼排ガス路１６を介して外部に排出される。
【００２４】
燃料極排ガス及び燃焼排ガスには水分が含まれている。そのため、その水分を回収する目的で、燃料極排ガス路１５及び燃焼排ガス路１６の途中に水回収器２１、２２を設けている。水回収器２１、２２は、例えば、凝縮器とドレントラップとを組み合わせて構成される。つまり、燃料極排ガス及び燃焼排ガスに含まれる水分が凝縮器によって凝縮され、その凝縮水がドレントラップによって取り出される。ドレントラップによって取り出された水は水回収タンク１０へと回収され、冷却水循環路１９を循環する水として再利用される。
【００２５】
このように、冷却水循環路１９を流れる冷却水は、燃料極排ガス中に含まれていた水分や、燃焼排ガス中に含まれていた水分が混入しているため、電解質や水に溶解しない不純物などを含んでいることが想定される。そのため、本実施形態の燃料電池システムは、冷却水循環路１９を流れる冷却水が、冷却水循環路１９の途中に設けられる水処理装置９によって処理されるように構成してある。本実施形態において、水処理装置９は、冷却水中に存在している有機物などを吸着可能な吸着材９ａと、冷却水中に溶存しているイオンを除去可能なイオン交換樹脂９ｂとを含む。水処理装置９は、これら吸着材９ａ及びイオン交換樹脂９ｂの一方のみで構成されてもよく、或いは、これら以外の手段を備えてもよい。例えば逆浸透膜などを併用してもよい。
【００２６】
イオン交換樹脂９ｂは、冷却水に溶存している電解質のイオン（例えば、イオン化して溶存している塩類やアンモニアなど）を例えばＨ+、ＯＨ-と交換することで、冷却水に含まれる電解質の濃度を相対的に低くさせる（即ち、電気伝導度を低くさせる）機能を果たす。例えば、水処理装置９よりも下流側の冷却水循環路１９を流れる冷却水の電気伝導度は、１μＳ／ｃｍ〜１０μＳ／ｃｍ程度であることが好ましい。
【００２７】
吸着材９ａは例えば活性炭等を備えて構成され、冷却水に含まれる有機物（例えば、シロキサン、無極性又は極性有機分子、微生物や微生物の分泌物、油分等）などの被吸着物を吸着するという機能を発揮する。例えば、水処理装置９よりも下流側の冷却水循環路１９を流れる冷却水の油分濃度は、０．０１ｗｔｐｐｍ〜１ｗｔｐｐｍ程度であることが好ましい。
【００２８】
上述した熱交換器８において冷却水から回収した排熱（即ち、燃料電池ＦＣから回収した排熱）は、排熱回収路２５を流れる湯水に与えられ、その湯水は貯湯タンク７に貯えられる。本実施形態において、燃料電池ＦＣの排熱を回収する排熱回収装置１２は、貯湯タンク７と補助熱源機１１とを備える。具体的には、排熱回収装置１２は、貯湯タンク７に貯えている湯水が貯湯タンク７と熱交換器８との間で循環する排熱回収路２５を有する。排熱回収路２５における湯水の流速はポンプＰ２によって調整される。また、排熱回収装置１２は、貯湯タンク７に蓄えている湯水が補助熱源機１１を経由して熱利用装置１３に供給される湯水循環路２６を有する。湯水循環路２６における湯水の流速はポンプＰ３によって調整される。熱利用装置１３が、湯水の熱のみを利用する床暖房装置などの場合、熱利用装置１３で熱が利用された後の湯水は湯水循環路２６を通って貯湯タンク７に帰還する。或いは、熱利用装置１３が、湯水自体を利用する給湯装置などの場合、貯湯タンク７には湯水は帰還しない。補助熱源機１１は、熱利用装置１３で要求される湯水を所定温度に昇温した上で熱利用装置１３に供給する際に使用される。
【００２９】
本実施形態では、酸素極５の内部に設けられた酸素含有ガス流路に対して、冷却水循環路１９から冷却水を供給するための冷却水供給路２３が設けられる。冷却水供給路２３は、その一方の端部が冷却水循環路１９の冷却部６と熱交換器８との間に、三方弁Ｖ３を介して接続され、もう一方の端部が酸素極排ガス路１８に三方弁Ｖ４を介して接続される。
【００３０】
また本実施形態では、酸素極５の内部に設けられた酸素含有ガス流路から冷却水を排出するための冷却水排出路２４が設けられる。冷却水排出路２４は、一方の端部が酸素含有ガス供給路１７に三方弁Ｖ７を介して接続され、もう一方の端部はポンプＰ４に接続される。ポンプＰ４の作動により、酸素極５の酸素含有ガス流路から冷却水が冷却水循環路１９の外である燃料電池ＦＣの外部に排水される。
【００３１】
燃料電池ＦＣが発電運転を行っている間、運転制御装置２７は、改質器１および燃焼器２を動作させて改質器１から燃料ガスを燃料極３に供給し、及び、酸素含有ガス供給路１７の途中に設けている三方弁Ｖ７を、空気供給源側から酸素極５側に通流させる方向に開弁して空気（酸素含有ガス）を酸素極５に供給する。その結果、セルＣでは発電反応が行われ、電気負荷（図示せず）やインバータ（図示せず）などに対して電力が出力される。
燃料電池ＦＣの発電運転を行っている間、燃料極排ガス路１５を通じて燃料極排ガスが燃焼器２に供給され、その結果、燃焼器２では、燃料極排ガスに残存している水素が燃焼される。
また、運転制御装置２７は、燃料電池ＦＣの発電運転を行っている間、酸素極排ガス路１８の途中に設けている三方弁Ｖ４を、酸素極５側から排出側に通流させる方向に開弁して酸素極排ガスを外部に排出させる。
尚、運転制御装置２７は、改質器１で燃料ガスを生成するとき、改質器１に原燃料を供給し、且つ、冷却水循環路１９に設けているポンプＰ１を動作させると共に冷却水循環路１９から分岐した改質用水供給路２０に設けている弁Ｖ２を開弁して改質器１に改質用水を供給する。改質器１には上述したように燃焼器２で発生される燃焼熱が与えられて、水蒸気改質反応が促進される。
【００３２】
＜洗浄処理制御＞
図２は、本実施形態に係る燃料電池システムで行われる洗浄処理制御（固体高分子形燃料電池の運転方法）を示すフローチャートである。運転制御装置２７は、発電性能が低下した際、あるいは発電性能が低下する可能性が高いとき、洗浄処理制御を行う。本実施形態では、燃料電池ＦＣの出力電圧が低下した際、発電性能が低下したと判断する。なお、燃料電池ＦＣの起動からの経過時間が所定の閾値を超えた際、あるいは燃料電池ＦＣの設置からの累積運転時間が所定の閾値を超えた際、発電性能が低下する可能性が高いと判断するように運転制御装置２７を構成してもよい。
【００３３】
工程＃１（運転停止工程）は、燃料電池ＦＣの運転を停止する工程である。
【００３４】
工程＃１（運転停止工程）において運転制御装置２７は、燃料電池ＦＣの発電運転を停止する。具体的には運転制御装置２７は、改質器１および燃焼器２の動作を停止させ、燃料極３（セルＣ）への燃料ガスの供給を停止する。また運転制御装置２７は、三方弁Ｖ７を閉じて酸素極５（セルＣ）への空気の供給を停止する。さらに運転制御装置２７は、ポンプＰ１を停止し、弁Ｖ１および弁Ｖ２を閉じて冷却部６（セルＣ）および改質器１への冷却水の供給を停止する。なお、セルＣへの燃料ガスおよび空気の供給を停止した後、所定の時間が経過してから弁Ｖ１および弁Ｖ２を閉弁するようにして、セルＣの冷却を行ってもよい。
【００３５】
工程＃２（接続工程）は、冷却水循環路１９を酸素極５の酸素含有ガス流路に接続する工程である。この工程により、後述する水没工程において冷却水循環路１９から酸素極５の酸素含有ガス流路に冷却水が供給されるようになる。
【００３６】
工程＃２（接続工程）において運転制御装置２７は、三方弁Ｖ３を冷却水循環路１９と冷却水供給路２３とを連通させる方向に開弁し、三方弁Ｖ４を冷却水供給路２３と酸素極排ガス路１８とを連通させる方向に開弁する。これにより冷却水循環路１９が冷却水供給路２３と酸素極排ガス路１８とに接続されるので、冷却水循環路１９が酸素極５の酸素含有ガス流路に接続される。ここで「接続」とは、例えば冷却水循環路１９と冷却水供給路２３と酸素極排ガス路１８の内部の空間が連通し、冷却水や空気が通流し得る状態になることをいう。また運転制御装置２７は、三方弁Ｖ７を閉じて、酸素含有ガス供給路１７から冷却水が流出しないようにする。
【００３７】
工程＃３（水没工程）は、冷却水循環路１９からセルＣに冷却水を供給して、酸素極５の酸素含有ガス流路に冷却水が充満した状態である水没状態とする工程である。
【００３８】
工程＃３（水没工程）において運転制御装置２７は、弁Ｖ１を開いてポンプＰ１を作動させ、冷却水を冷却水循環路１９から冷却水供給路２３と酸素極排ガス路１８とを経由して酸素極５（セルＣ）の酸素含有ガス流路に供給する。先の工程＃２（接続工程）において三方弁Ｖ７が閉じられており、比較的短時間で冷却水が酸素極５の酸素含有ガス流路に充満した状態すなわち水没状態となる。なお冷却水を酸素極５の酸素含有ガス流路に供給する際、三方弁Ｖ７を酸素含有ガス供給路１７の酸素極５側から空気供給源側または冷却水排出路２４側に通流させる方向に一時的に開弁して、酸素極５の酸素含有ガス流路の内部の空気や冷却水の一部を酸素含有ガス供給路１７から流出させてもよい。
【００３９】
本実施形態では、工程＃２（接続工程）において冷却水供給路２３が酸素極排ガス路１８に接続されているので、工程＃３（水没工程）において冷却水は酸素極排ガス路１８側から酸素極５の酸素含有ガス流路に流入し、酸素極排ガス路１８側へと流れる。なお、燃料電池ＦＣを発電運転する際には、酸素含有ガスは酸素含有ガス供給路１７側から酸素極５の酸素含有ガス流路に流入し、酸素極排ガス路１８側へと流れる。したがって、工程＃３（水没工程）において冷却水循環路１９から酸素極５（セルＣ）の酸素含有ガス流路に冷却水が供給される際、燃料電池ＦＣを発電運転する際の酸素極５の酸素含有ガス流路における酸素含有ガスの流れる方向とは逆の方向に冷却水が流れる。
【００４０】
工程＃３（水没工程）を開始するタイミングとしては、工程＃１（運転停止工程）および工程＃２（接続工程）が完了した後すぐに行ってもよい。この場合、酸素極５の温度が比較的高い状態で水没工程が行われるので、汚染物質等を効果的に除去できる。あるいは、工程＃１（運転停止工程）および工程＃２（接続工程）が完了した後、所定の時間が経過した後、あるいはセルＣの温度が所定の温度よりも低くなった後、水没工程を行ってもよい。この場合、酸素極５の温度が運転時よりも低い状態で水没工程を行うので、冷却水との接触による酸素極５の損傷の可能性を低減することができる。
【００４１】
工程＃４（静置工程）は、酸素極５の酸素含有ガス流路における冷却水の流動を停止させる工程である。
【００４２】
工程＃４（静置工程）において運転制御装置２７は、ポンプＰ１を停止させ、酸素極５の酸素含有ガス流路における冷却水の流動を停止させる。この際、三方弁Ｖ４と三方弁Ｖ７とを閉じて、酸素含有ガス流路の両端を閉鎖してもよい。
【００４３】
工程＃５（排出工程）は、酸素極５の酸素含有ガス流路から冷却水を排出する工程である。
【００４４】
工程＃５（排出工程）において運転制御装置２７は、三方弁Ｖ７を酸素含有ガス供給路１７の酸素極５側と冷却水排出路２４とを連通させる方向に開弁し、ポンプＰ４を作動させて、酸素含有ガス流路から冷却水を排出する。酸素含有ガス流路から排出された冷却水は、冷却水循環路１９には戻されず、冷却水循環路１９の外である燃料電池ＦＣの外部に排水される。酸素含有ガス流路からの冷却水の排出が完了したら、運転制御装置２７はポンプＰ４の作動を停止させる。
【００４５】
工程＃５（排出工程）を開始するタイミングとしては、工程＃４（静置工程）を開始してから所定の時間が経過した時点で開始してもよいし、セルＣの温度を監視して所定の温度を下回った時点で開始してもよい。またこれらを組み合わせて、所定の時間が経過し、かつ、所定の温度を下回った時点で開始してもよい。
【００４６】
工程＃６（接続解除工程）は、冷却水循環路１９と酸素極５の酸素含有ガス流路との接続を解除する工程である。
【００４７】
工程＃６（接続解除工程）において運転制御装置２７は、冷却水循環路１９と酸素極５の酸素含有ガス流路との接続を解除する。すなわちこの時、冷却水循環路１９と酸素極５の酸素含有ガス流路とが連通しない状態となる。具体的には運転制御装置２７は、三方弁Ｖ３を冷却水循環路１９の冷却部６側と熱交換器８側とを連通させる方向に開弁し、三方弁Ｖ４を酸素極排ガス路１８の酸素極５側と排気側とを連通させる方向に開弁する。これにより、冷却部６から排出される冷却水が熱交換器８に送られる状態となり、また、酸素極５から排出された酸素極排ガスが酸素極排ガス路１８を通じて排出される状態となる。
【００４８】
工程＃７（運転開始工程）は、燃料電池ＦＣの発電運転を開始する工程である。
【００４９】
工程＃７（運転開始工程）において運転制御装置２７は、燃料電池ＦＣの発電運転を開始する。具体的には運転制御装置２７は、改質器１および燃焼器２の動作を開始させ、燃料極３（セルＣ）への燃料ガスの供給を開始する。また運転制御装置２７は、三方弁Ｖ７を空気供給源側から酸素含有ガス供給路１７の酸素極５側に通流させる方向に開弁させて、空気供給源からの空気を酸素極５に供給する。さらに運転制御装置２７は、ポンプＰ１を動作させ、かつ、弁Ｖ１および弁Ｖ２を閉じて冷却部６（セルＣ）および改質器１への冷却水の供給を開始する。これにより燃料電池ＦＣは発電を開始する。
【００５０】
＜第２実施形態＞
次に図３を参照して第２実施形態に係る燃料電池システムの構成および動作ついて説明する。第１実施形態と同一の構成については、同一の符号を用い説明を省略する。
【００５１】
第２実施形態に係る燃料電池ＦＣは、電解質膜４を加湿するための加湿水と冷却部６を冷却する冷却水とが兼用される形式であり、例えばセルＣおよび冷却部６が冷却水を透過する多孔質体を有して構成される。冷却部６に供給された冷却水は、冷却部６からしみ出して酸素極５の酸素含有ガス流路へと供給され、酸素含有ガス流路に冷却水が充満した状態（水没状態）となる。冷却部６は、冷却水循環路１９から冷却水が供給されてセルＣを冷却するが、冷却部６はセルＣに隣接するか、あるいはセルＣの燃料極３と酸素極５とに挟まれて配置される。
【００５２】
本実施形態では、酸素極５の内部に設けられた酸素含有ガス流路から冷却水を排出するための冷却水排出路２４が設けられる。冷却水循環路１９の冷却部６と熱交換器８との間に三方弁Ｖ３が設けられ、酸素極排ガス路１８に三方弁Ｖ４が設けられる。冷却水排出路２４は、三方弁Ｖ３と三方弁Ｖ４とを結んで設けられ、さらに三方弁Ｖ３と三方弁Ｖ４の間から分岐して、ポンプＰ４に接続される。そしてポンプＰ４の作動により、酸素含有ガス流路から排出された冷却水が冷却水循環路１９の外である燃料電池ＦＣの外部に排水される。
【００５３】
＜洗浄処理制御＞
第２実施形態で行われる洗浄処理制御（固体高分子形燃料電池の運転方法）について以下説明する。まず工程＃１（運転停止工程）は、第１実施形態と同様に行われる。工程＃２（接続工程）については、第２実施形態では冷却部６への冷却水供給により水没状態が実現されるので、工程＃２は省略される。
【００５４】
工程＃３（水没工程）において運転制御装置２７は、弁Ｖ１を開いてポンプＰ１を作動させ、冷却水を冷却水循環路１９から冷却部６に供給し、これによりセルＣの内部を経由して冷却水を酸素極５の酸素含有ガス流路に供給する。その際、三方弁Ｖ３を閉じて冷却部６における冷却水の圧力を高めて、酸素含有ガス流路への冷却水の供給を促進してもよい。
【００５５】
工程＃４（静置工程）は第１実施形態と同様に行われ、酸素極５の酸素含有ガス流路における冷却水の流動が停止される。
【００５６】
工程＃５（排出工程）において運転制御装置２７は、三方弁Ｖ４を酸素極排ガス路１８の酸素極５側から冷却水排出路２４に通流させる方向に開弁し、ポンプＰ４を作動させて、酸素含有ガス流路から冷却水を排出する。酸素含有ガス流路から排出された冷却水は、冷却水循環路１９には戻されず、冷却水循環路１９の外である燃料電池ＦＣの外部に排水される。酸素含有ガス流路からの冷却水の排出が完了したら、運転制御装置２７はポンプＰ４の作動を停止させる。この時、三方弁Ｖ３を冷却水循環路１９の冷却部６側と冷却水排出路２４とを連通させる方向に開弁し、加えて弁Ｖ１を閉弁することで、冷却部６から冷却水排出路２４へと冷却水を導き、酸素含有ガス流路からの冷却水の排出を促進してもよい。
【００５７】
工程＃６（接続解除工程）において運転制御装置２７は、第１実施形態とは異なり、酸素極排ガス路１８と冷却水排出路２４との接続を解除する。すなわちこの時、酸素極排ガス路１８と冷却水排出路２４とが連通しない状態となる。具体的には運転制御装置２７は、三方弁Ｖ３を冷却水循環路１９の冷却部６側と熱交換器８側とを連通させる方向に開弁し、三方弁Ｖ４を酸素極排ガス路１８の酸素極５側と排気側とを連通させる方向に開弁する。これにより、冷却部６から排出される冷却水が熱交換器８に送られる状態となり、また、酸素極５から排出された酸素極排ガスが酸素極排ガス路１８を通じて排出される状態となる。
【００５８】
工程＃７（運転開始工程）は、第１実施形態と同様に行われる。
【００５９】
＜汚染物質の除去効果の実験＞
第１実施形態に係る洗浄処理制御（冷却水循環路１９を酸素極５の酸素含有ガス流路に接続して冷却水を供給）による汚染物質等の除去の効果を確認するため、以下の実験を行った。
【００６０】
実験装置として、セルＣの洗浄後に通常出力による運転を３０００時間行って、同程度の汚染状態とした燃料電池ＦＣを２台用意した。
【００６１】
＜比較例＞
特許文献１に記載された触媒層中の水量を増加させる制御による汚染物質の除去効果を測定した。具体的には、燃料電池ＦＣの運転中に燃料電池ＦＣにおける反応生成水の凝縮量、蒸発量を制御して触媒層中の含水量を増加させ、その状態で１２時間運転した。停止後、純水に浸漬して洗い出した後、冷却水を新しいものに入れ替えて通常出力による運転を再開し、その際の冷却水を採取して、汚染物質の濃度を測定した。
【００６２】
＜実施例＞
酸素極５の酸素含有ガス流路を水没状態にして１２時間放置し（静置工程）、続いて排出工程を行った。その後冷却水を入れ替えて通常出力による運転を再開し、その際の冷却水を採取して、汚染物質の濃度を測定した。
【００６３】
次の表は、比較例で測定された汚染物質の濃度を１として、実施例で測定された汚染物質の濃度を示したものである。フッ化物イオン、塩化物イオン、硝酸イオン、硫酸イオン、アンモニウムイオン、カルシウムのいずれの汚染物質も、比較例に比べて実施例では減少した。特に硫酸イオン、アンモニウムイオン、カルシウムは実施例では検出されず、洗浄処理制御（運転方法）による顕著な除去効果が示された。
0006501562.tif 000002
【００６４】
＜別実施形態＞
（１）第１実施形態および第２実施形態の運転停止工程では、燃料極３（セルＣ）への燃料ガスの供給の停止と、酸素極５（セルＣ）への空気の供給を停止と、冷却部６（セルＣ）への冷却水の供給の停止とを行ったが、洗浄処理制御を行うにあたっては燃料電池ＦＣの発電が停止し酸素極５の酸素含有ガス流路への冷却水の充満が可能であればよい。よって燃料極３（セルＣ）への燃料ガスの供給、酸素極５（セルＣ）への空気の供給、冷却部６（セルＣ）への冷却水の供給のいずれかが継続している場合であっても発電が停止した運転停止工程であるといえる。
【００６５】
（２）第１実施形態では、冷却部６の下流側（熱交換器８側）で冷却水循環路１９を酸素極排ガス路１８に接続し、もって酸素含有ガス流路に接続したが、冷却部６の上流側（弁Ｖ１側）で冷却水循環路１９を酸素含有ガス供給路１７に接続し、もって酸素含有ガス流路に接続してもよい。
【符号の説明】
【００６６】
３        ：燃料極
４        ：電解質膜
５        ：酸素極
６        ：冷却部
１９      ：冷却水循環路
Ｃ        ：セル
【図１】
0006501562.tif 000003
【図２】
0006501562.tif 000004
【図３】
0006501562.tif 000005